(57)【要約】【目的】遊技球を跳ね上げさせる誘導通路であって、その球詰まりを防止すると共に、跳ね上げられなかった遊技球に対しても入賞の期待を持つことができる誘導通路を備えた第１種の遊技機を提供する。【構成】装飾部材１６１の下方には、普通可変入賞球装置が備えられ、装飾部材１６１は、遊技球を受け入れ装飾部材１６１内で下方に誘導し、排出する誘導通路２０４と、誘導通路２０４から排出された遊技球を遊技領域上方に向けて跳ね上げ、放出する傾斜２０６が形成された跳ね上げ部２０５とを備え、跳ね上げ部２０５には、傾斜２０６から遊技領域４１上方に向けて放出されなかった遊技球を遊技領域に向けて排出するための排出部２０３を設けたことにより、跳ね上げ部２０５から放出されなかった遊技球であっても、排出部２０３から排出されるため、跳ね上げ部２０５内で遊技球が止まることがなく、また、排出部２０３からの遊技球にも入賞の期待を持てる。【選択図】　　　　図５
2004024508.tif 000002
【特許請求の範囲】
【請求項１】
識別情報の可変表示を行って表示結果を導出表示する可変表示装置と、該表示結果が予め定めた特定表示結果となったときに遊技状態を遊技者にとって有利な特定遊技状態に制御する機能と、を有すると共に、前記可変表示装置の表示部の外周部分を装飾する装飾部材を備えた遊技機において、
前記装飾部材の下方の遊技領域には、遊技球が入賞可能な入賞口が備えられ、
前記装飾部材は、遊技領域を流下する遊技球を受け入れ前記装飾部材内で下方に誘導し、排出する誘導通路と、
該誘導通路から排出された遊技球を遊技領域上方に向けて跳ね上げ、放出するための傾斜が形成された跳ね上げ部とを備え、
該跳ね上げ部の所定箇所には、前記傾斜から遊技領域上方に向けて放出されなかった遊技球を前記遊技領域に向けて排出するための排出部を設けたことを特徴とする遊技機。
【請求項２】
前記排出部は、遊技機前面側に向けて下り傾斜して形成された溝により構成されることを特徴とする請求項１記載の遊技機。
【請求項３】
前記装飾部材には、該装飾部材に受け入れられた遊技球を転動させると共に各々前記遊技領域に向けて遊技球を排出する複数の経路のいずれかに遊技球を振り分ける転動部が形成され、
前記跳ね上げ部は、前記誘導通路から排出された遊技球を前記転動部に向けて誘導し得る形状に形成されていることを特徴とする請求項１又は請求項２記載の遊技機。
【請求項４】
前記装飾部材には、前記跳ね上げ部から放出された遊技球が侵入し、転動し得る第１経路と、前記排出部から排出された遊技球が侵入し、転動し得る第２経路と、が形成され、
前記第２経路は、遊技球を左右方向に往復動した後に前記入賞口に向けて排出する形状であり、前記第１経路は、往復動することがないかあるいは前記第２経路における往復動よりも小さい振幅での往復動した後に前記入賞口に向けて排出する形状であることを特徴とする請求項１乃至請求項３のいずれかに記載の遊技機。
【請求項５】
前記入賞口は、前記可変表示装置で可変表示を開始させる条件の成立契機となる始動入賞口であることを特徴とする請求項１乃至請求項４のいずれかに記載の遊技機。
【発明の詳細な説明】
【０００１】
【発明の属する技術分野】
本発明は、識別情報の可変表示を行って表示結果を表示する可変表示装置と、該可変表示装置の表示結果が予め定めた特定表示結果となったときに遊技状態を遊技者にとって有利な特定遊技状態に制御する機能と、を有すると共に、前記可変表示装置の表示部の外周部分を装飾する装飾部材を備えた遊技機に関するものである。
【０００２】
【従来の技術】
従来、一般に、遊技機としての弾球遊技機において、遊技盤に備えられた装飾部材として、遊技領域を流下する遊技球を装飾部材内に受け入れたり、あるいは、入賞口へ誘導するための誘導通路を有するものがある。このような誘導通路から排出された遊技球を遊技領域上方に向けて跳ね上げるための傾斜が形成された跳ね上げ部により跳ね上げさせ遊技球を入賞口等に入賞させるものが提案されている。
【０００３】
【発明が解決しようとする課題】
ところが、識別情報の可変表示を行って表示結果を表示する可変表示装置の表示結果が予め定めた特定表示結果となったときに遊技状態を遊技者にとって有利な特定遊技状態とする遊技機、いわゆる第１種の遊技機では、このような誘導通路を有する装飾部材を備えているものはなかった。
【０００４】
また、上記した跳ね上げ部では、跳ね上げ部を移動する遊技球の勢いが弱く、跳ね上げられなかった遊技球が跳ね上げ部の途中で止まってしまい、次に誘導通路から排出された遊技球の進行の妨げとなってしまうという問題があった。本発明は、上記した事情に鑑みなされたもので、その目的とするところは、遊技球を跳ね上げさせる跳ね上げ部であって、その球詰まりを防止すると共に、跳ね上げられなかった遊技球に対しても入賞の期待を持つことができる跳ね上げ部を備えた第１種の遊技機を提供することにある。
【０００５】
【課題を解決するための手段】
上記目的を達成するために、請求項１の発明においては、識別情報の可変表示を行って表示結果を導出表示する可変表示装置と、該表示結果が予め定めた特定表示結果となったときに遊技状態を遊技者にとって有利な特定遊技状態に制御する機能と、を有すると共に、前記可変表示装置の表示部の外周部分を装飾する装飾部材を備えた遊技機において、前記装飾部材の下方の遊技領域には、遊技球が入賞可能な入賞口が備えられ、前記装飾部材は、遊技領域を流下する遊技球を受け入れ前記装飾部材内で下方に誘導し、排出する誘導通路と、該誘導通路から排出された遊技球を遊技領域上方に向けて跳ね上げ、放出するための傾斜が形成された跳ね上げ部とを備え、該跳ね上げ部の所定箇所には、前記傾斜から遊技領域上方に向けて放出されなかった遊技球を前記遊技領域に向けて排出するための排出部を設けたことを特徴とする。このように構成することにより、跳ね上げ部を移動する際の勢いが足らずに跳ね上げ部から放出されなかった遊技球であっても、跳ね上げ部に形成された排出部から排出されるため、跳ね上げ部内で遊技球が止まってしまうことがない。このため、次に流下してくる遊技球の進行を妨げることがなく、跳ね上げ部内での球詰まりを防止することができる。また、排出部から排出される遊技球は、入賞口が備えられた遊技領域に向けて排出されるものであるため、入賞口への入賞の期待を持つことができる。
【０００６】
また、請求項２の発明においては、前記排出部は、遊技機前面側に向けて下り傾斜して形成された溝により構成されることを特徴とする。このように構成することにより、誘導通路に溝を設けるだけの簡単な構造で、誘導通路での球詰まりを防止することができる遊技機を製造することができる。
【０００７】
また、請求項３の発明においては、前記装飾部材には、該装飾部材に受け入れられた遊技球を転動させると共に各々前記遊技領域に向けて遊技球を排出する複数の経路のいずれかに遊技球を振り分ける転動部が形成され、前記跳ね上げ部は、前記誘導通路から排出された遊技球を前記転動部に向けて誘導し得る形状に形成されていることを特徴とする。このように構成することにより、誘導通路から排出された遊技球を転動部上で複数の経路に誘導することができるため、遊技球に多彩な動きをさせることができ、遊技客が遊技球の動きを楽しむことができる。
【０００８】
また、請求項４の発明においては、前記装飾部材には、前記跳ね上げ部から放出された遊技球が侵入し、転動し得る第１経路と、前記排出部から排出された遊技球が侵入し、転動し得る第２経路と、が形成され、前記第２経路は、遊技球を左右方向に往復動した後に前記入賞口に向けて排出する形状であり、前記第１経路は、往復動することがないかあるいは前記第２経路における往復動よりも小さい振幅での往復動した後に前記入賞口に向けて排出する形状であることを特徴とする。このように構成することにより、第２経路から排出される遊技球は、入賞口に向けて排出される際に左右方向に大きく寄ってしまうため入賞の可能性が低くなる。一方、第１経路から排出される遊技球は、往復動しないかあるいは、往復動してもその振幅が小さいため、入賞口に向けて排出される際に左右方向に大きく寄ってしまうことがないため入賞の可能性が高くなる。このように、遊技球がいずれの経路をたどるかによって入賞口への入賞率を変化させることができるため、遊技の興趣を向上することができる。
【０００９】
更に、請求項５の発明においては、前記入賞口は、前記可変表示装置で可変表示を開始させる条件の成立契機となる始動入賞口であることを特徴とする。このように構成することにより、遊技球がどのような経路をたどるかが始動入賞口への遊技球の入賞の確率を左右し、ひいては、可変表示装置で可変表示が行われるか否かに影響するため、遊技者をより惹き付けることができ、遊技の興趣を向上することができる。
【００１０】
【発明の実施の形態】
以下、図面を参照して、本発明の実施形態について説明する。まず、図１乃至図４を参照して実施形態に係る遊技機としての弾球遊技機１の全体の構成について説明する。弾球遊技機１は、図１及び図３に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面開閉枠４とから構成されている。また、前面枠３に設けられる主要構成部としては、上記した前面開閉枠４、遊技盤４０、上皿１９、下皿２７、灰皿２９、操作ハンドル３０、機構板１００、玉発射装置８７がある。また、図示の実施形態では、弾球遊技機１の側方に遊技者に遊技球を貸し出すためのカードユニット装置３１が付設されている。
【００１１】
前面開閉枠４には、後述する遊技盤４０の遊技領域４１をほぼ透視し得る円形透視窓５が開設され、該円形透視窓５の裏面から複層ガラス板が装着されている。また、前面開閉枠４の上側には、円形透視窓５の外周に沿って、遊技効果ランプとしての装飾ランプ６〜８，１５，１６が臨んでいる。この装飾ランプ６〜８，１５，１６は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（後述する玉切れスイッチ１１５が作動したとき）を報知する玉切れランプ９や、入賞玉の発生に基づいて所定個数の賞球が払い出されたことを報知する賞球ランプ１０（なお、賞球未払出分がある場合に報知する方式でもよい）が設けられ、更に、前面開閉枠４の上部左右に遊技の進行に応じた効果音を発生するスピーカ１２ａ，１２ｂが設けられている。なお、各ランプ６〜８，９，１０，１５，１６の前方は、それぞれ透光性を有する赤色、緑色等のランプカバーで被覆されるようになっている。特に、玉切れランプ９の点灯を赤色発光で行い、賞球ランプ１０の点灯を緑色発光で行うことにより、遊技者に対して状況を報知するようになっている。また、スピーカ１２ａ，１２ｂの前面には、パンチメタル１１が取り付けられてスピーカ１２ａ，１２ｂから発生される音声を通すようになっている。また、スピーカ１２ａ，１２ｂの近傍（パンチメタル１１の裏面側）には、それぞれ光装飾用の遊技効果ＬＥＤとしての装飾ＬＥＤ３７，３８が前面開閉枠４に取り付けられている。
【００１２】
次に、前面開閉枠４の下側に取り付けられる上皿１９の構成について説明すると、上皿１９は、複数の合成樹脂製部材を組合せた皿部材を固着することにより構成されている。上皿１９の開放側の上方には、玉抜き操作レバー２１が設けられている。この玉抜き操作レバー２１は、左右方向に移動可能に設けられ、スプリング（図示しない）の付勢力に抗して一方向に移動させることにより、上皿１９に貯留されていた遊技球を裏面側に形成される玉抜き路（図示しない）を流下させて下皿２７に誘導するものである。
【００１３】
上記した上皿１９について、さらに詳細に説明すると、上皿１９は、その上流側に形成される賞玉払出口２０から払い出された賞球を一旦貯留した後、発射位置に遊技球を供給するものである。また、上皿１９には、弾球遊技機１に隣接して設けられるカードユニット装置３１を介して遊技球を借り受ける際に操作する操作部が設けられている。この操作部は、球貸スイッチ２４と返却スイッチ２５（共に図４に符号のみを記載）と表示ＬＥＤ（図示しない）が実装される残高表示基板２３（図４に符号のみを記載）からなり、該残高表示基板２３が上皿１９の上面に臨むように設けられている。また、上皿１９の開放側には、前面開閉枠４を前面枠３に対して施錠し且つ前面枠３を外枠２に対して施錠する施錠装置（図示しない）を操作するためのシリンダー錠２６が臨んでいる。
【００１４】
また、前面枠３の下部に取り付けられる下皿２７は、前記上皿１９から溢れた賞球であって余剰球通路（図示しない）を介して接続樋９３（図３参照）から排出される余剰の賞球を貯留するものであり、その下皿２７の前面壁には、玉抜き操作レバー２８がスライド可能に取り付けられるようになっている。この玉抜き操作レバー２８を操作することにより、下皿２７に貯留されていた賞球を下方に玉抜きして持ち運び可能な玉箱に移し替えることができる。また、下皿２７の左側には、灰皿２９が設けられ、右側には、操作ハンドル３０が設けられている。操作ハンドル３０は、図３に示す玉発射装置８７の発射装置電動機８８（ステッピングモータ）の駆動を一時的に停止させるための単発発射スイッチ９１及び遊技者が操作ハンドル３０を触れていることを検知するタッチセンサ（図示しない）を内蔵していると共に、弾発力を調節する指掛け部３２（図１参照）を備えるものである。
【００１５】
一方、弾球遊技機１の背面には、図３に示すように、入賞玉の発生に基づいて所定個数の賞球を払い出すための各種の機構を装備した機構板１００が設けられると共に、前記操作ハンドル３０に対応する裏面には、発射装置電動機８８及び打球槌（図示しない）を有する玉発射装置８７が固着され、その玉発射装置８７の側方には、機構板１００の余剰球通路から流下してきた遊技球を前記下皿２７に誘導する接続樋９３が固着されている。上記した構成のうち、玉発射装置８７には、発射制御基板９０が付設されており、この発射制御基板９０によって玉発射装置８７が駆動制御されるようになっている。
【００１６】
以上で、弾球遊技機１の全体の概略構成を説明したが、以下、弾球遊技機１を構成する要素のうち、遊技盤４０と、機構板１００の詳細な構成について順次説明する。
【００１７】
まず、主に図２を参照して遊技盤４０について説明する。遊技盤４０は、前面枠３の裏面側に一体的に形成される遊技盤収納枠部（図示しない）に収容固定されるべく、ほぼ正方形状の合板（図示しない）により形成され、その表面には、円形うず巻き状に誘導レール４２が取り付けられ、該誘導レール４２の内側が遊技領域４１とされて発射された打玉が落下するものである。遊技領域４１には、図示の場合、可変表示装置４４、特別可変入賞球装置４８、入賞口としての普通可変入賞球装置５８、通過玉検出器６１ｂを内蔵する通過口６１ａ等が設けられると共に、単に打玉を入賞とする入賞口、打玉の流下方向，速度を変化せしめる風車又は多数の障害釘が設けられ、また、遊技領域４１の最下方には、いずれの入賞装置にも入賞しない打玉が取り込まれるアウト口６９が設けられている。
【００１８】
遊技領域４１の構成をその遊技動作に従ってより詳細に説明すると、可変表示装置４４の下方に普通可変入賞球装置５８が設けられ、この普通可変入賞球装置５８の両側方には、それぞれ通過玉検出器６１ｂを内蔵する通過口６１ａが設けられている。この通過玉検出器６１ｂは、遊技領域４１を落下する打玉の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、通常確率モードのときに相対的に長く（例えば、３０秒）、確率変動モードのときに相対的に短く（例えば、３〜５秒）設定されている。また、後述する装飾部材１６１の上部には、普通図柄表示器６３の可変表示中に通過玉検出器６１ｂを通過した打玉数を記憶表示する普通図柄記憶表示ＬＥＤ６４（最高４個まで記憶表示する）が設けられている。
【００１９】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動玉検出器６０が内蔵され、開放中又は閉成中に受け入れた入賞玉を検出するようになっている。しかして、打玉が始動玉検出器６０によって検出されると可変表示装置４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも打玉を受け入れるようになっている。
【００２０】
可変表示装置４４は、図２に示すように、左・中・右の各特別図柄を可変表示する画像表示部１６０を有した液晶タイプの表示器であり、該画像表示部１６０の前方外周には、横長形状の窓開口１６８（図５参照）が開設された装飾部材１６１が設けられる。そして、可変表示装置４４の変動停止時における図柄の組合せが予め定めた大当り図柄の組合せ（例えば、同一の図柄が当りラインのいずれかに揃った場合）である場合に、特定遊技状態となって特別可変入賞球装置４８を次に説明する所定の態様で開閉駆動するものである。ただし、大当り図柄の組合せの一部は、確率変動図柄として設定され、この確率変動図柄で特定遊技状態となったときには、その特定遊技状態終了後における前記普通図柄表示器６３における当り（当りＬＥＤの点灯）の出現確率や可変表示装置４４における大当り図柄の出現確率が高くなる確率変動モードとなるように設定されている。また、可変表示装置４４の近傍には、前述したような普通図柄記憶ＬＥＤ６４に加えて、画像表示部１６０の外周部分を光装飾する飾りＬＥＤ４５（図４に符号のみを記載）と、可変表示装置４４の可変動作中に前記始動玉検出器６０によって検出された玉数を記憶表示する特別図柄始動記憶表示ＬＥＤ４６（最高４個まで記憶表示する）と、が設けられている。なお、可変表示装置４４は、液晶タイプのものに限らず、ＣＲＴ，ドットマトリクス，ＬＥＤ，７セグメント，ドラム等により構成されるものであっても良い。また、装飾部材１６１の構成については後に詳述するものである。
【００２１】
特定遊技状態となったときに駆動制御される特別可変入賞球装置４８は、ソレノイド５０（図４に符号のみを記載）によって開閉駆動される開閉板４９を有し、その開閉板４９に受け入れられた打玉を検出する入賞個数検出器５２が設けられている。また、特別可変入賞球装置４８内（開閉板４９の内側）には、打玉の検出（Ｖ入賞検出）に伴って特定遊技状態の継続権を成立させる特定玉検出器５１が設けられており、該特定玉検出器５１の上方には、一旦Ｖ入賞検出があると次に開閉板４９を開放するまでは打玉が特定玉検出器５１を通過しないようにするＶシャッター５３が設けられている。このＶシャッター５３は、ソレノイド４３（図４に符号のみを記載）によって開閉駆動が行われる。なお、Ｖシャッターの他の例として、例えば、左右に並んだＶ入賞口と通常の入賞口の前面側に掛け渡されるシーソー状の可動部材により構成されるものがある。この可動部材の中心には、支点が設けられると共に、その一端には、ソレノイドが接続され、このソレノイドが駆動することにより、可動部材の両端が支点を中心に上下動するものである。このようなＶシャッターの動作は、ソレノイドがＯＦＦした状態では、可動部材のＶ入賞口側が下降してＶ入賞に遊技球が入賞し得る状態となる。この状態でＶ入賞口に遊技球が入賞すると、ソレノイドがＯＮして可動部材のＶ入賞口側が上昇し、可動部材がＶ入賞口の前面側に位置して遮り、遊技球が入賞し難くなる。一方、可動部材の通常の入賞口側が下降して通常の入賞口へ遊技球の入賞がし易くなるというものである。
【００２２】
しかして、特定遊技状態となった場合には、一定時間（例えば、２８秒）が経過するまで又はその一定時間内に所定個数（例えば、１０個）の入賞玉が入賞するまで開閉板４９を開放（以下、この開放を開放サイクルという）し、その開放サイクル中に受け入れられた打玉が特定玉検出器５１によって検出されたときに継続権が成立して、再度上記した開放サイクルが実行され、各開放サイクルにおいて継続権が成立していることを条件に所定回数（例えば、最高１６回）の開放サイクルを繰り返すことができるようになっている。
【００２３】
以上説明した本実施形態において、打球が入賞する入賞口及び入賞装置には、入賞玉を検出するための信号が導出される入賞玉検出器５１，５２，５５ａ，５５ｂ，６５ａ，６５ｂがすべて設けられている。これは、これらの検出信号に基づいて所定個数の賞球を払い出すために使用されるものである。しかして、これらの入賞玉検出器５１，５２，５５ａ，５５ｂ，６５ａ，６５ｂは、図４に示すように、主基板１５１に接続されている。
【００２４】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図４に示すように、遊技盤４０に設けられる各スイッチ５１，５２，５５ａ，５５ｂ，６５ａ，６５ｂ，６１ｂ及び各ソレノイド４３，５０，５９は、主基板１５１に接続され、遊技盤４０に設けられる飾りランプ５６，６７ａ（共に図４に遊技効果ランプとして符号のみを記載）、遊技盤４０に設けられる飾りＬＥＤ４５（図４に遊技効果ＬＥＤとして記載）、特別図柄始動記憶ＬＥＤ４６、普通図柄始動記憶ＬＥＤ６４は、電飾制御基板８０に接続されている。
【００２５】
一方、遊技盤４０の裏面には、図３に示すように、前記可変表示装置４４の裏面が突出して設けられている。この可変表示装置４４の裏面部分には、表示制御基板７５が表示制御基板カバー７４に被覆されて取り付けられている。表示制御基板７５は、可変表示装置４４の可変表示動作を主基板１５１からの情報信号の種類に応じて駆動制御するものである。
【００２６】
また、上記した可変表示装置４４裏面の周囲には、カバー体７０が取り付けられ、このカバー体７０に連通するようにその下部に入賞玉誘導カバー体７１が取り付けられている。カバー体７０には、その中央に前記可変表示装置４４が挿入される窓孔７２が形成されると共に、情報端子基板７８が取り付けられている。なお、カバー体７０は、窓孔７２の外周部分に穿設された取付穴（図示しない）が遊技盤４０の裏面にビス止めされることで取り付けられる。情報端子基板７８は、弾球遊技機１の営業管理上必要な遊技情報（例えば、特定遊技状態中である旨を報知する大当り１情報、確率変動図柄で特定遊技状態となり、その特定遊技状態中及びその大当りによる確率変動中である旨を報知する大当り２情報（特定遊技状態中と確率変動中に出力され続ける信号）、確率変動図柄による特定遊技状態終了後の確率変動中である旨を報知する確率変動情報、始動玉検出器をＯＮした打玉の数を報知する始動口情報、可変表示装置４４の可変動作回数を報知する図柄確定回数１情報、普通可変表示装置の可変動作回数を報知する図柄確定回数２情報、及び普通可変入賞球装置５８の開閉回数を報知する役物回数情報）を遊技場に設置される管理コンピュータに出力するための外部接続端子を有し、これらの情報が主基板１５１から与えられるようになっている。
【００２７】
また、入賞玉誘導カバー体７１の後面側には、電飾制御基板８０及び効果音制御基板８２を収容する制御基板ボックス７９が取り付けられている。電飾制御基板８０は、図４に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や前面開閉枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音量スイッチ８３（図４に符号のみを記載）が設けられている。
【００２８】
次に、弾球遊技機１の背面に設けられる機構板１００の構成について図３を参照して説明する。図３において、機構板１００は、遊技球を貯留する貯留タンク１０５と該貯留タンク１０５に貯留された賞球を下流側に整列しながら誘導する玉整列レール部材１０８及びカーブレール部材１１１と、カーブレール部材１１１からの遊技球を誘導する玉通路１１４と、入賞に基づく賞球を払い出す玉払出装置１１６と、主として遊技盤４０に打ち込まれた入賞玉を含む打玉を処理する処理機構と、が機構板主体１０１上に設けられる。玉整列レール部材１０８の下流側上部には、外部との信号線が接続される外部接続端子を有する情報端子基板１３２が設けられる。情報端子基板１３２に設けられる外部接続端子１３３からは、外部（例えば、管理コンピュータ）へ貯留タンク１０５にて遊技球が不足している旨の玉切れ情報と貸球情報と賞球情報とが出力される。
【００２９】
また、カーブレール部材１１１の下流側には、垂直状に玉通路部材が設けられる。具体的には、左右２列の玉通路１１４から玉通路部材が構成され、該２列の玉通路１１４には、それぞれ玉切れスイッチ１１５が通路に臨むように設けられている。この玉切れスイッチ１１５は、図４に示すように、主基板１５１に接続され、玉切れスイッチ１１５が遊技球を検出しなくなったときには、玉払出装置１１６の作動を停止して遊技球の払出を不能動化させるようになっている。玉払出装置１１６は、ほぼ直方体形状をなすケースの内部に収納されて機構板主体１０１の前面側に着脱自在に取り付けられるようになっている。
【００３０】
また、機構板１００の下部後面側には、電圧の異なる複数の電源を生成する電源ユニット基板１３７を収容する電源ユニットボックス１３６と、遊技盤４０に設けられる可変表示装置４４や特別可変入賞球装置４８等の遊技装置の動作を制御する主基板１５１を収容する主基板ボックス１５０と、前記玉払出装置１１６の動作を制御する払出制御基板１４４を収容する払出制御基板ボックス１４３が設けられる。電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３１】
以上、弾球遊技機１の構成、遊技盤４０の構成、及び機構板１００の構成について説明してきたが、次に、配線接続される回路構成について、図４を参照して説明する。主基板１５１には、遊技盤４０に設けられる各玉検出器（スイッチ）５１，５２，５５ａ，５５ｂ，６１ｂ，６５ａ，６５ｂ及び始動玉検出器６０、また、満タンスイッチ１２９及び玉切れスイッチ１１５、更に、払い出された賞球を検出する賞球カウントスイッチ１２０からの信号が入力されるものである。
【００３２】
また、主基板１５１は、遊技盤４０に設けられるソレノイド４３，５０，５９を駆動制御すると共に、外部情報端子基板７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，１５，１６，５６，６７ａ及び各種ＬＥＤ３７，３８，４５を表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて可変表示装置４４、普通図柄表示器６３の表示結果を導出するように制御する。払出制御基板１４４は、主基板１５１から入力される払出制御信号に応じて玉払出装置１１６を駆動制御すると共に、発射制御基板９０へ発射制御信号を出力する。また、払出制御基板１４４は、カードユニット装置３１、残高表示基板２３と接続され、貸玉払出の制御を行う。発射制御基板９０は、払出制御基板１４４からの発射制御信号に応じて発射装置８７の制御を行う。また、外部情報出力基板１３２は、主基板１５１、払出制御基板１４４と接続され、外部へ遊技情報を出力する。
【００３３】
次に、本実施形態の要部を構成する装飾部材１６１について図５乃至図９を参照して説明する。図５は、装飾部材１６１の斜視図であり、図６は、特定転動部１７０及び非特定転動部１９０の正面図及び平面図であり、図７は、跳ね上げ部２０５の排出部２０３から排出される遊技球の動きを示す斜視図であり、図８は、非特定転動部１９０における遊技球の動きを示す斜視図であり、図９は、特定転動部１７０及び非特定転動部１９０における遊技球の動きを示す斜視図であり、図１０は、他の実施形態に係る第２排出部１７２が施された特定転動部１７０の平面図であり、図１１は、他の実施形態に係る第２排出部１７２が施された特定転動部１７０の平面図である。なお、以下の説明においては、弾球遊技機１の遊技者側を前面側、弾球遊技機１を挟んで遊技者と反対側を奥側で示す。
【００３４】
装飾部材１６１は、図５に示すように、その前面側に枠開口部１６２が開設されると共に、該枠開口部１６２の前端側のほぼ全周に亘ってフランジ部１６３が形成されている。フランジ部１６３には、装飾部材１６１を遊技盤４０にビス止めするための取付穴１６４（図２参照）が適宜間隔をおいて複数穿設されている。装飾部材１６１の縦方向ほぼ中央の両側方には、遊技領域４１を流下する遊技球を受け入れる誘導通路入口２００が形成されている。この誘導通路入口２００は、誘導通路入口２００で受け入れた遊技球が通過する誘導通路２０４と連通するものである。誘導通路２０４は、遊技領域４１を流下する遊技球を受け入れて装飾部材１６１内で下方に誘導し、排出するものである。また、誘導通路２０４は、詳細には図示しないが、通過する遊技球の落下の勢いを弱めるために遊技球が蛇行するように形成されている。
【００３５】
誘導通路２０４の下流端には、誘導通路２０４を通過した遊技球が排出される誘導通路出口２０１が形成されると共に、誘導通路出口２０１の下方には、誘導通路２０４から排出された遊技球を遊技領域４１上方に向けて跳ね上げ、放出するための傾斜２０６が形成された跳ね上げ部２０５が形成されている。跳ね上げ部２０５は、下方に湾曲した円弧状に形成されるものであり、その表面は、遊技球が転動する出口放出面２０２として形成されている。この跳ね上げ部２０５は、誘導通路２０４から排出された遊技球を後述する特定転動部１７０及び非特定転動部１９０に誘導し得る形状に形成されるものである。また、跳ね上げ部２０５の所定箇所には、跳ね上げ部２０５の傾斜２０６より遊技領域４１上方に向けて放出されなかった遊技球を遊技領域４１に向けて排出するための排出部２０３が形成されている。排出部２０３から排出された遊技球は、後述する転動面１６５を転動した後、普通可変入賞球装置５８が備えられた遊技領域４１に向けて排出される。この排出部２０３は、出口放出面２０２よりも更に下方に湾曲した円弧状に形成されている。また、排出部２０３は、奥側から前面側に向けて下り傾斜すると共にその開口幅が徐々に広く形成される溝により構成されている。
【００３６】
また、装飾部材１６１には、前述のように、画像表示部１６０が臨む窓開口１６８が開設されているが、この窓開口１６８の下方の前面側には、装飾部材１６１に受け入れられた遊技球が転動する特定転動部１７０（転動部）が前面側に向けて突設されている。特定転動部１７０の上面のほぼ中央には、遊技球を奥側に向けて転動させる第１排出部１７１が形成され、この第１排出部１７１の両側方には、遊技球を前面側に向けて転動させる第２排出部１７２が形成されている。第１排出部１７１及び第２排出部１７２は、下方に湾曲した円弧状に形成されるものである。第１排出部１７１は、前面側から奥側に向けて下り傾斜すると共にその開口幅が徐々に広くなっており、その下流端には、遊技球を後述する通路部１８０に排出する排出領域１７５が形成されている。この排出領域１７５は、遊技球の直径よりもやや大きい幅寸法で形成されており、遊技球が１個のみ通過可能に形成されるものである。一方、第２排出部１７２は、奥側から前面側に向けて下り傾斜すると共にその開口幅が徐々に広くなっている。このように、第２排出部１７２は、特定転動部１７０の表面に形成された溝部により構成されると共に、第１排出部１７１から排出される遊技球の方向と相対する方向へ遊技球を排出する形状に形成されるものである。また、第２排出部１７２の第１排出部１７１が位置しない側の側方には、第１排出部１７１に向けて下り傾斜する傾斜面１７３が形成されている。更に、特定転動部１７０の周回には、第２排出部１７２が臨む部分を除いて第１排出部１７１及び第２排出部１７２以外の位置から遊技球が落下しにくくするための落下防止リブ１７４が立設されている。
【００３７】
上記した特定転動部１７０の下方には、装飾部材１６１に受け入れられた遊技球が転動する非特定転動部１９０（転動部）が形成されている。非特定転動部１９０は、正面視で両端部が垂直方向に立設されてほぼ弓形状に形成されるものである。非特定転動部１９０のほぼ中央には、非特定転動部１９０上の遊技球を前面側に向けて誘導する第３排出部１９１が形成されている。この第３排出部１９１は、下方に湾曲した円弧状に形成され、奥側から前面側に向けて下り傾斜すると共にその開口幅が徐々に広く形成されている。また、第３排出部１９１は、その上流端に後述する通路部１８０を、下流端に排出領域１９９を備えている。排出領域１９９は、第３排出部１９１を流下する遊技球が排出される部分であり、普通可変入賞球装置５８の上方と対応する位置に形成されるものである。なお、排出領域１９９が普通可変入賞球装置５８の上方と対応する位置に形成されるとは、普通可変入賞球装置５８の入賞領域と排出領域１９９とが左右方向で一部でも重なるように排出領域１９９と普通可変入賞球装置５８とが位置している関係をいい、普通可変入賞球装置５８の入賞領域が排出領域１９９よりも狭くなる場合も含むものである。ここで、普通可変入賞球装置５８の入賞領域とは、普通可変入賞球装置５８の左右の可動部材の間にでき、遊技球が入賞し得る空間を示している。
【００３８】
第３排出部１９１の両側方には、第３排出部１９１と間隔をおいて、非特定転動部１９０上の遊技球を前面側に向けて誘導する第４排出部１９２が形成されている。第４排出部１９２は、第３排出部１９１と同様に下方に湾曲した円弧状に形成され、奥側から前面側に向けて下り傾斜すると共にその開口幅が徐々に広く形成されているが、その下流端の開口幅は、第３排出部１９１の下流端の開口幅よりも広く形成されている。
【００３９】
第３排出部１９１の両側方であって、第３排出部１９１と第４排出部１９２との間には、第２排出部１７２から排出された遊技球が落下する振分面１９３が平面状に形成されている。この振分面１９３の前面側の端部には、振分面１９３に落下した遊技球を第３排出部１９１あるいは第４排出部１９２のいずれかに振り分けるための振分部材１９４が突設されている。
【００４０】
また、非特定転動部１９０の奥側であって、第４排出部１９２の第３排出部１９１が位置しない側の側方には、非特定転動部１９０の両側方部分を構成する導入面１９５が形成されている。この導入面１９５は、非特定転動部１９０の両側端部を構成する垂直状の垂直面部と第４排出部１９２に連通する水平状の水平面部とから構成されるものであり、誘導通路出口２０１から排出された遊技球を非特定転動部１９０に導入するものである。また、導入面１９５の奥行方向は、誘導通路出口２０１及び出口放出面２０２の奥行方向の寸法とほぼ同じ寸法で形成されている。なお、導入面１９５の前面側の端部には、導入面１９５上の遊技球が前面側に落下することを防止するための落下防止リブ１９６が突設されている。
【００４１】
また、非特定転動部１９０の前面側であって、第４排出部１９２の第３排出部１９１が位置しない側の側方には、非特定転動部１９０上の遊技球を後述する転動面１６５に対して横方向から誘導するための側方誘導面１９７が形成されている。この側方誘導面１９７は、導入面１９５の水平面部の前面側に位置するように形成されている。
【００４２】
上記したように、装飾部材１６１には、装飾部材１６１に受け入れられた遊技球を転動させると共に、各々遊技領域４１に向けて遊技球を排出する複数の経路、即ち、第１排出部，第２排出部等のいずれかに遊技球を振り分ける特定転動部１７０と、同じく装飾部材１６１に受け入れられた遊技球を転動させると共に、各々遊技領域４１に向けて遊技球を排出する複数の経路、即ち、第３経路，第４経路等のいずれかに遊技球を振り分ける非特定転動部１９０と、が形成されている。
【００４３】
上記した非特定転動部１９０の前面側には、装飾部材１６１に受け入れられた遊技球が転動する転動部１６５が形成されている。転動部１６５は、正面視で両端部が垂直方向に立設されてほぼ弓形状に形成されるものである。転動部１６５の前面側には、転動部１６５上を転動する遊技球が後述する玉放出部１６７以外の位置から前面側に放出されることを防止するための放出防止リブ１６６が形成されている。放出防止リブ１６６は、フランジ部１６３を上方に向けて延長するようにフランジ部１６３とほぼ同じ厚さで形成されている。このフランジ部１６３のほぼ中央であって排出領域１９９の前面側には、転動部１６５を転動する遊技球を排出するための玉放出部１６７が形成されている。なお、転動部１６５の中央部には、図５に示すように、非特定転動部１９０の前面側部分が張り出すように位置している。
【００４４】
また、装飾部材１６１の窓開口１６８下方の前面側には、特定転動部１７０の第１排出部１７１から遊技球が導入される通路部１８０がほぼ垂直状に形成されている。通路部１８０は、特定転動部１７０の上方から非特定転動部１９０の上方に亘って特定転動部１７０の奥側に形成されるものであり、その上流端は、第１排出部１７１から遊技球を導入する導入口１８１として形成されると共に、その下流端は、第３排出部１９１に遊技球を導出するための導出口１８２として形成されている。また、通路部１８０は、第１排出部１７１の排出領域１７５の幅寸法とほぼ同じ幅寸法で形成されるものである。即ち、遊技球が１個のみ通過可能に形成されるものである。
【００４５】
なお、特定転動部１７０，通路部１８０，非特定転動部１９０，転動面１６５，玉放出部１６７によって、あるいは、非特定転動部１９０，転動面１６５，玉放出部１６７によって第１経路が構成され、また、転動面１６５，玉放出部１６７によって第２経路が構成されるものである。
【００４６】
しかして、上記のように構成される装飾部材１６１は、フランジ部１６３の取付穴１６４に挿通したビス（図示しない）を遊技盤４０の表面に穿設された取付ネジ穴（図示しない）に螺着することにより、遊技盤４０に取り付けられて弾球遊技機１に装着されることとなる。
【００４７】
次に、上記のようにして弾球遊技機１に装着された装飾部材１６１に受け入れられた遊技球の動きについて、図７乃至図９を参照して説明する。遊技領域４１を流下して装飾部材１６１の誘導通路入口２００に受け入れられた遊技球は、誘導通路２０４内を流下した後、誘導通路出口２０１から出口放出面２０２に向けて排出される。出口放出面２０２に向けて排出された遊技球は、転動面１６５に向けて排出部２０３から落下するものと、装飾部材１６１の中央側に向けて排出されるものとに分かれる。出口放出面２０２の端部は、前述したように、跳ね上げ部２０５として装飾部材１６１中央側の方向に斜め上方に向けて形成されているため、出口放出面２０２から排出される遊技球は、跳ね上げ部２０５によって斜め上方に向けて排出されることとなる。
【００４８】
図７に示すように、排出部２０３から転動面１６５に向けて落下した遊技球は、転動面１６５を転動した後、玉放出部１６７から普通可変入賞球装置５８に向けて排出されるが、この際、左右方向に大きく寄ってしまうため、普通可変入賞球装置５８への入賞の確率が非常に低くなってしまう。このとき、図７の矢印で示すように、転動面１６５を転動して直接玉放出部１６７から排出される場合と、転動面１６５を左右方向に往復動した後に玉放出部１６７から排出される場合があるが、いずれの場合も、上記したように、普通可変入賞球装置５８に向けて排出される際に、左右方向に大きく寄ってしまうため、可変入賞球装置５８への入賞の確率が非常に低くなる。
【００４９】
一方、跳ね上げ部２０５によって出口放出面２０２から上方に向けて排出された遊技球は、非特定転動部１９０の導入面１９５上に落下した後に非特定転動部１９０上を転動するか、あるいは、導入面１９５を飛び越えて特定転動部１７０の傾斜面１７３上に落下する。
【００５０】
まず、図８に示すように、跳ね上げ部２０５によって跳ね上げられ、非特定転動部１９０の導入面１９５上に落下した遊技球は、導入面１９５を転動した後に第４排出部１９２に誘導され、第４排出部１９２から転動面１６５に向けて落下する。第４排出部１９２から転動面１６５に向けて落下した遊技球は、転動面１６５を転動した後、玉放出部１６７から普通可変入賞球装置５８に向けて排出されるが、この際、左右方向に寄ってしまうが、排出部２０３から排出される遊技球ほど大きく寄ることがない。このため、普通可変入賞球装置５８への入賞の確率が低くなってしまうが、やはり、排出部２０３から排出される遊技球ほど低くなるものではない。このとき、図８の矢印で示すように、転動面１６５を転動して直接玉放出部１６７から排出される場合と、転動面１６５を左右方向に往復動した後に玉放出部１６７から排出される場合があるが、いずれの場合も、上記したように、普通可変入賞球装置５８に向けて排出される際に、左右方向に寄ってしまうため、可変入賞球装置５８への入賞の確率が低くなる。
【００５１】
次に、図９に示すように、跳ね上げ部２０５によって跳ね上げられ、傾斜面１７３上に落下した遊技球は、特定転動部１７０の中央側に向けて転動するが、このとき、図９に示すように、特定転動部１７０の左右から第１排出部１７１に向けて遊技球がほぼ同時に１個ずつ転動してくることがある。このように、特定転動部１７０の左右から遊技球が転動してきた場合でも、上記したように、特定転動部１７０の上面には、第１排出部１７１及び第２排出部１７２が形成されているため、図９に示すように、２個の遊技球は、それぞれ別のルートで特定転動部１７０から落下し、導入口１８０の前面側で玉止まりを起こすことがない。このとき、図９（Ａ）に示すように、２個の遊技球が、第１排出部１７１の左右に形成された２箇所の第２排出部１７２によっていずれも特定転動部１７０の前面側から非特定転動部１９０に落下する場合と、図９（Ｂ）に示すように、一方の遊技球は、第１排出部１７１によって通路部１８０を介して非特定転動部１９０に落下し、他方の遊技球は、第２排出部１７２によって特定転動部１７０の前面側から非特定転動部１９０に落下する場合がある。
【００５２】
ここで、図９（Ｂ）に示すように、遊技球が第１排出部１７１によって通路部１８０を介して非特定転動部１９０に落下する場合には、通路部１８０から第３排出部１９１の上流端に遊技球が排出されるため、遊技球は、第３排出部１９１を転動して排出領域１９９から排出される。そして、排出領域１９９から排出された遊技球が装飾部材１６１から排出される際には、遊技球が左右方向に往復動することなく、玉放出部１６７から装飾部材１６１のほぼ真下に排出されるため、普通可変入賞球装置５８に入賞する確率が高くなる。
【００５３】
一方、遊技球が第２排出部１７２によって特定転動部１７０の前面側から非特定転動部１９０に落下する場合には、非特定転動部１９０の振分面１９３上に落下する。振分面１９３上に落下した遊技球は、振分面１９３の前面側から落下することなく、振分部材１９４によって第３排出部１９１あるいは第４排出部１９２のいずれかに振り分けられる。第３排出部１９１に振り分けられた遊技球は、前述したように、排出領域１９９から排出された後に、左右方向に往復動することなく、装飾部材１６１のほぼ真下に排出されるため、普通可変入賞球装置５８に入賞する確率が高くなる。このように、転動部において第１排出部１７１から排出されなかった遊技球も普通可変入賞球装置５８への入賞率が高くなる可能性があるため、遊技者は、第２排出部から排出された遊技球に対しても入賞の期待を持つことができる。
【００５４】
また、第４排出部１９２に振り分けられた遊技球は、第４排出部１９２を流下して転動面１６５に向けて落下することとなるが、上記したように、第４排出部１９２から転動面１６５に向けて落下した遊技球は、転動面１６５を転動した後、玉放出部１６７から普通可変入賞球装置５８に向けて排出されるが、この際、左右方向に寄ってしまうため、普通可変入賞球装置５８への入賞の確率が低くなる。
【００５５】
なお、図８で示した、遊技球が非特定転動部１９０の導入面１９５上に落下した場合において、遊技球が第３排出部１９１まで転動し、第３排出部１９１から転動面１６５に向けて落下することがあり、この場合も遊技球が左右方向に往復動することなく、玉放出部１６７から装飾部材１６１のほぼ真下に排出されるため、普通可変入賞球装置５８に入賞する確率が高くなる。
【００５６】
上記したように、排出部２０３から排出された遊技球は、転動面１６５，玉放出部１６７によって構成される経路、即ち、第２経路で左右方向に往復動した後に普通可変入賞球装置５８に向けて排出されることとなる。この場合、普通可変入賞球装置５８への入賞の確率は、非常に低いものとなる。また、跳ね上げ部２０５から跳ね上げられた遊技球は、特定転動部１７０，通路部１８０，非特定転動部１９０，転動面１６５，玉放出部１６７によって、あるいは、非特定転動部１９０，転動面１６５，玉放出部１６７によって構成される経路、即ち、第１経路で往復動することなく、あるいは、第２経路における往復動よりも小さい振幅で往復動した後に普通可変入賞球装置５８に向けて排出されることとなる。この場合、往復動することなく排出された遊技球の普通可変入賞球装置５８への入賞の確率は高いものとなる。また、この場合、第２経路における往復動よりも小さい振幅で往復動した遊技球の普通可変入賞球装置５８への入賞の確率は低いものとなるが、第２経路から排出された遊技球ほどではない。
【００５７】
なお、上記した実施形態においては、第２排出部１７２が第１排出部１７１の両側方に形成されているものを示したが、このようなものに限らず、図１０に示すように、第１排出部１７１の片側の側方にのみ第２排出部１７２が形成されているものであってもよい。このように第２排出部１７２を形成することにより、特定転動部１７０上の２個の遊技球うち一方の遊技球は、第１排出部１７１によって通路部１８０を介して非特定転動部１９０に落下し、他方の遊技球は、第２排出部１７２によって特定転動部１７０の前面側から非特定転動部１９０の振分面１９３の上に落下することとなる。なお、図１０においては、第２排出部１７２は、第１排出部１７１の左側方に形成されているが、右側方に形成されているものであってもよい。
【００５８】
また、上記した実施形態においては、第２排出部１７２は、下方に湾曲した円弧状で、奥側から前面側に向けて下り傾斜すると共にその開口幅が徐々に広くなるように形成されたものを示したが、このようなものに限らず、図１１に示すように、第１排出部１７１の片側の側方に位置する円形状の穴によって形成されるものであってもよい。この第２排出部１７２は、特定転動部１７０の底面に貫通して形成されると共に、非特定転動部１９０の振分面１９３の上方に位置している。このように第２排出部１７２を形成することにより、特定転動部１７０上の２個の遊技球うち一方の遊技球は、第１排出部１７１によって通路部１８０を介して非特定転動部１９０に落下し、他方の遊技球は、第２排出部１７２を通過して非特定転動部１９０の振分面１９３上に落下することとなる。なお、図１１においては、第２排出部１７２は、第１排出部１７１の右側方に形成されているが、左側方に形成されているものであってもよい。また、図１１においては、第１排出部１７１は、前面側から奥側に向けて下り傾斜して形成されるものを示しているが、このようなものに限らず、奥側から前面側に向けて下り傾斜して形成されるものであってもよい。
【００５９】
また、上記した実施形態においては、特定転動部１７０の第１排出部１７１は、第３排出部１９１の上方と対応する位置に形成され、垂直状に形成された通路部１８０と連通するものを示したが、このようなものに限らず、第１排出部１７１が第３排出部１９１の上方、即ち、普通可変入賞球装置５８の上方と対応する位置に形成されていないものであってもよい。このとき、通路部１８０は、垂直状に形成されず、第１排出部１７１と第３排出部１９１とを連通させるため、傾斜して形成されることとなる。
【００６０】
以上、実施形態にかかる弾球遊技機１について詳細に説明してきたが、本実施形態においては、識別情報の可変表示を行って表示結果を導出表示する可変表示装置４４と、該表示結果が予め定めた特定表示結果となったときに遊技状態を遊技者にとって有利な特定遊技状態に制御する機能と、を有すると共に、前記可変表示装置４４の表示部の外周部分を装飾する装飾部材１６１を備えた弾球遊技機１において、前記装飾部材１６１の下方の遊技領域４１には、遊技球が入賞可能な入賞口としての普通可変入賞球装置５８が備えられ、前記装飾部材１６１は、遊技領域４１を流下する遊技球を受け入れ前記装飾部材１６１内で下方に誘導し、排出する誘導通路２０４と、該誘導通路２０４から排出された遊技球を遊技領域４１上方に向けて跳ね上げ、放出するための傾斜２０６が形成された跳ね上げ部２０５とを備え、該跳ね上げ部２０５の所定箇所には、前記傾斜２０６から遊技領域４１上方に向けて放出されなかった遊技球を前記遊技領域４１に向けて排出するための排出部２０３を設けたことにより、跳ね上げ部２０５を移動する際の勢いが足らずに跳ね上げ部２０５から放出なかった遊技球であっても、跳ね上げ部２０５に形成された排出部２０３から排出されるため、跳ね上げ部２０５内で遊技球が止まってしまうことがない。このため、次に流下してくる遊技球の進行を妨げることがなく、跳ね上げ部２０５内での球詰まりを防止することができる。また、排出部２０３から排出される遊技球は、入賞口としての普通可変入賞球装置５８が備えられた遊技領域４１に向けて排出されるものであるため、入賞口としての普通可変入賞球装置５８への入賞の期待を持つことができる。
【００６１】
また、本実施形態においては、前記排出部２０３は、弾球遊技機１前面側に向けて下り傾斜して形成された溝により構成されることにより、誘導通路２０４に溝を設けるだけの簡単な構造で、誘導通路２０４での球詰まりを防止することができる弾球遊技機１を製造することができる。
【００６２】
また、本実施形態においては、前記装飾部材１６１には、該装飾部材１６１に受け入れられた遊技球を転動させると共に各々前記遊技領域４１に向けて遊技球を排出する複数の経路のいずれかに遊技球を振り分ける特定転動部１７０及び非特定転動部１９０が形成され、前記跳ね上げ部２０５は、前記誘導通路２０４から排出された遊技球を前記特定転動部１７０及び非特定転動部１９０に向けて誘導し得る形状に形成されていることにより、誘導通路２０４から排出された遊技球を特定転動部１７０及び非特定転動部１９０上で複数の経路に誘導することができるため、遊技球に多彩な動きをさせることができ、遊技客が遊技球の動きを楽しむことができる。
【００６３】
また、本実施形態においては、前記装飾部材１６１には、前記跳ね上げ部２０５から放出された遊技球が侵入し、転動し得る第１経路（特定転動部１７０，通路部１８０，非特定転動部１９０，転動面１６５，玉放出部１６７あるいは、非特定転動部１９０，転動面１６５，玉放出部１６７）と、前記排出部２０３から排出された遊技球が侵入し、転動し得る第２経路（転動面１６５，玉放出部１６７）と、が形成され、前記第２経路（転動面１６５，玉放出部１６７）は、遊技球を左右方向に往復動した後に前記入賞口としての普通可変入賞球装置５８に向けて排出する形状であり、前記第１経路（特定転動部１７０，通路部１８０，非特定転動部１９０，転動面１６５，玉放出部１６７あるいは、非特定転動部１９０，転動面１６５，玉放出部１６７）は、往復動することがないかあるいは前記第２経路（転動面１６５，玉放出部１６７）における往復動よりも小さい振幅での往復動した後に前記入賞口としての普通可変入賞球装置５８に向けて排出する形状であることにより、第２経路（転動面１６５，玉放出部１６７）から排出される遊技球は、入賞口としての普通可変入賞球装置５８に向けて排出される際に左右方向に大きく寄ってしまうため入賞の可能性が低くなる。一方、第１経路（特定転動部１７０，通路部１８０，非特定転動部１９０，転動面１６５，玉放出部１６７あるいは、非特定転動部１９０，転動面１６５，玉放出部１６７）から排出される遊技球は、往復動しないかあるいは、往復動してもその振幅が小さいため、入賞口としての普通可変入賞球装置５８に向けて排出される際に左右方向に大きく寄ってしまうことがないため入賞の可能性が高くなる。このように、遊技球がいずれの経路をたどるかによって入賞口としての普通可変入賞球装置５８への入賞率を変化させることができるため、遊技の興趣を向上することができる。
【００６４】
更に、本実施形態においては、前記入賞口は、前記可変表示装置４４で可変表示を開始させる条件の成立契機となる始動入賞口としての普通可変入賞球装置５８であることにより、遊技球がどのような経路をたどるかが始動入賞口としての普通可変入賞球装置５８への遊技球の入賞の確率を左右し、ひいては、可変表示装置４４で可変表示が行われるか否かに影響するため、遊技者をより惹き付けることができ、遊技の興趣を向上することができる。
【００６５】
【発明の効果】
以上、説明したところから明らかなように、請求項１の発明においては、跳ね上げ部を移動する際の勢いが足らずに跳ね上げ部から放出されなかった遊技球であっても、跳ね上げ部に形成された排出部から排出されるため、跳ね上げ部内で遊技球が止まってしまうことがない。このため、次に流下してくる遊技球の進行を妨げることがなく、跳ね上げ部内での球詰まりを防止することができる。また、排出部から排出される遊技球は、入賞口が備えられた遊技領域に向けて排出されるものであるため、入賞口への入賞の期待を持つことができる。
【００６６】
また、請求項２の発明においては、誘導通路に溝を設けるだけの簡単な構造で、誘導通路での球詰まりを防止することができる遊技機を製造することができる。
【００６７】
また、請求項３の発明においては、誘導通路から排出された遊技球を転動部上で複数の経路に誘導することができるため、遊技球に多彩な動きをさせることができ、遊技客が遊技球の動きを楽しむことができる。
【００６８】
また、請求項４の発明においては、第２経路から排出される遊技球は、入賞口に向けて排出される際に左右方向に大きく寄ってしまうため入賞の可能性が低くなる。一方、第１経路から排出される遊技球は、往復動しないかあるいは、往復動してもその振幅が小さいため、入賞口に向けて排出される際に左右方向に大きく寄ってしまうことがないため入賞の可能性が高くなる。このように、遊技球がいずれの経路をたどるかによって入賞口への入賞率を変化させることができるため、遊技の興趣を向上することができる。
【００６９】
更に、請求項５の発明においては、遊技球がどのような経路をたどるかが始動入賞口への遊技球の入賞の確率を左右し、ひいては、可変表示装置で可変表示が行われるか否かに影響するため、遊技者をより惹き付けることができ、遊技の興趣を向上することができる。
【図面の簡単な説明】
【図１】本発明の一実施形態における弾球遊技機を示す正面図である。
【図２】遊技盤の表面に設けられる各種構成部材を示す正面図である。
【図３】弾球遊技機の裏面に設けられる各基板を示す説明図である。
【図４】機構板を示す背面図である。
【図５】装飾部材の斜視図である。
【図６】特定転動部及び非特定転動部の正面図及び平面図である。
【図７】跳ね上げ部の排出部から排出される遊技球の動きを示す斜視図である。
【図８】非特定転動部における遊技球の動きを示す斜視図である。
【図９】特定転動部及び非特定転動部における遊技球の動きを示す斜視図である。
【図１０】他の実施形態に係る第２排出部が施された特定転動部の平面図である。
【図１１】他の実施形態に係る第２排出部が施された特定転動部の平面図である。
【符号の説明】
１　弾球遊技機（遊技機）
４１　遊技領域
４４　可変表示装置
５８　普通可変入賞球装置
１６１　装飾部材
１７０　特定転動部
１９０　非特定転動部
２０３　排出部
２０４　誘導通路
２０５　跳ね上げ部
２０６　傾斜
【図１】
2004024508.tif 000003
【図２】
2004024508.tif 000004
【図３】
2004024508.tif 000005
【図４】
2004024508.tif 000006
【図５】
2004024508.tif 000007
【図６】
2004024508.tif 000008
【図７】
2004024508.tif 000009
【図８】
2004024508.tif 000010
【図９】
2004024508.tif 000011
【図１０】
2004024508.tif 000012
【図１１】
2004024508.tif 000013